(57)【要約】【課題】  ＮＭＲ分析装置の測定作業性を向上させる。【解決手段】  測定作業者の足場となる踏み台１２と、踏み台昇降用の階段部１４を有し、軸心が鉛直を向いた円筒状の側面を有するＮＭＲ分析装置４０の側近に配置されるＮＭＲ用作業台１０において、作業台を構成する全ての部材を非磁性材料で構成するとともに、踏み台１２の平面形状を、装置側面４２に沿うような、所定幅を有する略円弧状に形成し、踏み台１２上面には、測定作業者とＮＭＲ分析装置４０の間を仕切る手すり２２ａを設ける。【選択図】    図１
0003110039.tif 000002
【実用新案登録請求の範囲】
【請求項１】
測定作業者の足場となる踏み台と、踏み台昇降用の階段部を有し、軸心が鉛直を向いた円筒状の側面を有するＮＭＲ分析装置の側近に配置されるＮＭＲ用作業台であって、
作業台を構成する全ての部材を非磁性材料で構成するとともに、
前記踏み台の平面形状を、前記ＮＭＲ分析装置側面の円筒形状に沿うような、所定幅を有する略円弧状に形成し、
前記踏み台上面には、測定作業者と前記ＮＭＲ分析装置の間を仕切る手すりを設けたことを特徴とするＮＭＲ用作業台。
【請求項２】
請求項１記載のＮＭＲ用作業台において、
前記ＮＭＲ分析装置上面はその中央部が上向きに凸となる面とされ、
前記手すりを構成する鉛直部材の上端側の一部分を、前記ＮＭＲ分析装置上面の形状に沿うように、上方に向かうに従って前記ＮＭＲ分析装置の径方向内側に迫り出す形状としたことを特徴とするＮＭＲ用作業台。
【請求項３】
請求項１又は２記載のＮＭＲ用作業台において、
前記階段部を、前記ＮＭＲ分析装置側面の円筒形状に沿いながら鉛直方向に多段を成すように形成したことを特徴とするＮＭＲ用作業台。
【考案の詳細な説明】
【技術分野】
【０００１】
本発明は、ＮＭＲ（核磁気共鳴）分析装置の測定作業用に使用されるＮＭＲ用作業台に関するものである。
【背景技術】
【０００２】
近年、有機化合物等の分析装置としてＮＭＲ（核磁気共鳴）分析装置がよく用いられている。このＮＭＲ分析装置は、均一な静磁場空間に置かれた試料に電磁波を照射し、このとき生じる核磁気共鳴現象を利用して試料の物理的・化学的性質を評価解析する装置である。
【０００３】
このＮＭＲ分析装置は、一般に、前記静磁場を発生させるための超電導磁石と、これを収納する低温容器と、試料へ電磁波を照射するとともに試料から発せられるＮＭＲ信号を検出するためのプローブから構成される。
【０００４】
前記超電導磁石は、鉛直方向を巻き軸としてソレノイド状に巻回された超電導コイルによって構成される。低温容器は、これを液体ヘリウム等によって冷却しつつ収納するための容器で、その形状は前記超電導コイルの形状を包むように、円筒状の側面を有するものが多い。そして低温容器の軸心には、鉛直方向に貫通した室温空間が形成され、この室温空間に試料とプローブが挿入される構成となっている。
【０００５】
また、このＮＭＲ分析装置は除振支持脚によって支持され、外部の振動が容器内に伝わらないようになっている。これは、装置本体の僅かな振動でも測定精度に著しい影響を与えるからである。
【０００６】
以上のようにして構成されたＮＭＲ分析装置の大きさは、低温容器の有する円筒形の半径が約１〜２ｍ程度になる。また、除振支持脚も合わせた装置の高さは小さいものでも１ｍ程度、大きいものでは５ｍ程度にまでなる。従って、装置上面にある試料挿入口から試料を挿入する作業を行ったり、その廻りにあるプローブ用配管・配線の接続作業を行う際には、作業台の上に乗って作業する必要がある。
【０００７】
ところがＮＭＲ分析装置では、磁場が乱れると測定精度に著しい影響を与えるため、鉄などの磁性材料を含んだ作業台を近づけることはできない。また、そのような作業台は強力な磁力によって装置に引き寄せられるため、安全面からも好ましくない。しかし、市販の作業台で非磁性材料のみで構成されたものはほとんどないため、作業者は従来、木製の椅子や脚立を作業台代わりに使用したり、市販の作業台に対して磁性材料部分を取り替えるなどの改造を施したものを使用したりしていた。市販の作業台としては、例えば特許文献１に記載されるように、平面視で矩形の天板部（踏み台）と、これを支える脚部とから構成されるものがある。
【特許文献１】特許第３２５０７９２号
【考案の開示】
【考案が解決しようとする課題】
【０００８】
しかしながら、木製の椅子や脚立はごく限られたものしかないため、これを作業台代わりとして使用するのは限界があり、また、市販の作業台を改造するのも非常に手間がかかる。しかも、これらの作業台は、特許文献１のように、作業者の足場となる踏み台の形状が平面視で矩形であるのが一般的である（すなわち、ＮＭＲ分析装置側面の円筒形状に沿っていない）ため、装置に最も接近できる立ち位置は１箇所に限られる。従って、装置上面のうち作業者が手の届く範囲が狭く、装置上面から試料を挿入する作業等を行うのに不便であった。さらに、装置に振動を与えると測定精度が悪化することから、作業者は装置に触れることができないため、無理に手を伸ばした不安定な姿勢で作業を行わざるを得なかった。
【０００９】
本発明は、このような従来技術の問題に鑑みてなされたものであり、ＮＭＲ分析装置の測定に用いる作業台として最適な材質と形状を有するＮＭＲ用作業台を提供することにより、ＮＭＲ分析装置の測定作業性を向上させることを目的とする。
【課題を解決するための手段】
【００１０】
上記課題を解決するための手段として、本考案は、測定作業者の足場となる踏み台と、踏み台昇降用の階段部を有し、軸心が鉛直を向いた円筒状の側面を有するＮＭＲ分析装置の側近に配置されるＮＭＲ用作業台であって、作業台を構成する全ての部材を非磁性材料で構成するとともに、前記踏み台の平面形状を、前記ＮＭＲ分析装置側面の円筒形状に沿うような、所定幅を有する略円弧状に形成し、前記踏み台上面には、測定作業者と前記ＮＭＲ分析装置の間を仕切る手すりを設けたものである。
【００１１】
上記構成において、前記ＮＭＲ分析装置上面はその中央部が上向きに凸となる面とされ、前記手すりを構成する鉛直部材の上端側の一部分を、前記ＮＭＲ分析装置上面の形状に沿うように、上方に向かうに従って前記ＮＭＲ分析装置の径方向内側に迫り出すように形成してもよい。
【００１２】
さらに、前記階段部を、前記ＮＭＲ分析装置側面の円筒形状に沿いながら鉛直方向に多段を成すように形成してもよい。
【考案の効果】
【００１３】
本考案のＮＭＲ用作業台によれば、ＮＭＲ用作業台を構成する全ての部材が非磁性材料であるため、これをＮＭＲ分析装置側近に配置しても測定精度に影響することがなく、かつ安全に使用することができる。また、踏み台の平面形状がＮＭＲ分析装置側面の円筒形状に沿うような略円弧状となっていることにより、測定作業者は踏み台上で装置側面に沿って周方向に移動することができるため、装置上面の幅広い範囲に手を届かせることが可能である。これによって装置上面にある試料挿入口から試料を挿入する作業や、その廻りにあるプローブ用配管・配線の接続作業を、無理な姿勢をとることなく行うことができる。さらに、測定作業者とＮＭＲ分析装置の間を仕切る手すりが存在するため、測定作業者は手すりに体を預けるなどしながら、上記作業をより安定な姿勢で行うことができる。
【００１４】
また、ＮＭＲ分析装置上面の中央部が上向きに凸となる面である場合に、前記手すりを構成する鉛直部材の上端側の一部分を、前記ＮＭＲ分析装置上面の形状に沿うように、上方に向かうに従ってＮＭＲ分析装置の径方向内側に迫り出すように形成すれば、測定作業者が誤ってＮＭＲ分析装置に触れることを防止しながらも、装置上面と手すりの間の距離が近いことにより装置上面に手を伸ばす際に手すりが邪魔にならず、より円滑に上記作業を行うことができる。
【００１５】
さらに、前記階段部を、ＮＭＲ分析装置の側面の円筒形状に沿いながら鉛直方向に多段を成すように形成すれば、ＮＭＲ用作業台の占める半径方向のスペースをより小さくすることができる。
【考案を実施するための最良の形態】
【００１６】
（実施形態１）
図１は、本考案の第一の実施形態に係るＮＭＲ用作業台の斜視図であり、図２（ａ），（ｂ）は概略平面図と概略側面図である。まず図１に示すように、ＮＭＲ用作業台１０は、作業者の足場となる踏み台１２と、踏み台１２に昇り降りするための階段部１４と、踏み台１２を支持する支持部２８と、踏み台１２上面に立設される手すり２２ａ，２２ｂとから成り、これらの部材全てが、例えばアルミ合金等の非磁性材料で構成されている。
【００１７】
一方、ＮＭＲ分析装置４０は、軸心が鉛直を向いた円筒状の装置側面４２と、上向きに凸となる球状の装置上面４４を有する鳥かごのような形をしている。装置上面４４の中心には試料挿入口４５が設けられ、その廻りにはプローブ用の配管・配線（図示省略）が存在する。また、装置上面４４には、内部に収容する液体ヘリウム等の冷媒が蒸発したときにそれを大気に放出するための複数の管部４７が上向きに延設されている。このＮＭＲ分析装置４０は、外部の振動を伝えないようにこれを支持する除振支持脚４６によって支持されている。
【００１８】
そして、図２（ａ）に示すように、踏み台１２はその平面形状がこの装置側面４２に沿うように、所定幅を有する円弧状とされている。具体的には、装置側面４２と同心円を成す大小２つの円弧１３ａ，１３ｂと、これらを放射状に結ぶ辺１３ｃ，１３ｄによって形成された平面を有している。ＮＭＲ用作業台１０は、この踏み台１２の内側の円弧１３ａが装置側面４２の直近に沿うように配置して使用するものである。
【００１９】
再び図１に戻ると、踏み台１２上面には内周側に手すり２２ａ，外周側に手すり２２ｂが立設されている。手すり２２ａ（２２ｂ）は、水平部材２４ａ（２４ｂ）と、鉛直部材２６ａ（２６ｂ）とから構成されており、水平部材２４ａ（２４ｂ）は踏み台１２の平面形状に沿って円弧状に形成されている。また、図２（ｂ）に示すように、内周側の手すり２２ａの高さは、測定作業者が作業を行う際に体を預けられるよう、装置上面４４の基線４８よりも若干高い位置に設定するとよい。（なお、本実施形態では水平部材２４ａ（２４ｂ）は１本、鉛直部材２６ａ（２６ｂ）は５本としているが、この本数はＮＭＲ分析装置４０の大きさ等に応じて適宜変更すべきものであることは言うまでもない。）
【００２０】
階段部１４は、図１に示すように、踏み台１２の幅方向の辺（図２（ａ）の１３ｃ）から測定作業者を昇降させるように設けられており、一対の脚柱１６と、この間を適宜の間隔で水平方向に渡す複数の板１８とから成る。脚柱１６は踏み台１２から床面まで鉛直斜め方向に真っ直ぐ伸びるようにしている。なお図示は省略するが、この階段部１４には手すりを設けてもよい。
【００２１】
以上説明したように、本実施形態１によれば、ＮＭＲ用作業台１０の全ての構成部材がアルミ合金等の非磁性材料で構成されているため、これをＮＭＲ分析装置４０側近に配置しても測定精度に影響することがなく、かつ安全に使用することができる。また、踏み台１２の平面形状が装置側面４２に沿うような円弧状となっていることにより、測定作業者は踏み台１２上で装置側面４２に沿って周方向に移動することができるため、装置上面４４の幅広い範囲に手を届かせることが可能である。これによって装置上面４４にある試料挿入口４５から試料を挿入する作業や、その廻りにあるプローブ用配管・配線の接続作業を、無理な姿勢をとることなく行うことができる。さらに、測定作業者とＮＭＲ分析装置４０の間を仕切る手すり２２ａが存在するため、測定作業者は手すり２２ａに体を預けるなどしながら、上記作業をより安定な姿勢で行うことができる。
【００２２】
（実施形態２）
図３（ａ），（ｂ）は本考案の第二の実施形態に係るＮＭＲ用作業台の概略平面図と概略側面図である。本構成で上記実施形態１と異なる点は、内周側の手すり２２ａが装置上面４４に沿うように形成されている点である。具体的には、図３（ｂ）に示すように、鉛直部材２６ａの上端側の一部分を、装置上面４４に沿うように、上方に向かうに従ってＮＭＲ分析装置４０の径方向内側に迫り出すように形成した、円弧状の湾曲部２６ａ’を設けているものである。これにより、図３（ａ）に示すように、手すり２２ａが装置上面４４の一部を網の目状に覆うように形成される（図示のように、本実施形態では水平部材２４ａを２本として網の目を細かくするようにしている）。なお、以上の点を除いた構成は実施形態１と同様である。
【００２３】
本実施形態によれば、装置上面４４に沿うように円弧状の湾曲部２６’を設けることにより、測定作業者が誤ってＮＭＲ分析装置４０に触れることを防止しながらも、装置上面４４と手すり２２ａの間の距離が近いことにより装置上面４４に手を伸ばす際に手すり２２ａが邪魔にならず、より円滑に測定作業を行うことができる。
【００２４】
（実施形態３）
図４は本考案の第三の実施形態に係るＮＭＲ用作業台の概略平面図である。本構成で上記実施形態２と異なる点は、階段部１４が装置側面４２に沿うように形成されている点である。具体的には、一対の脚柱１６を、平面視で装置側面４２と同心円を成す円弧とすることで、階段部１４を螺旋階段の一部を成すように形成したものである。なお、以上の点を除いた構成は実施形態２と同様である。
【００２５】
本実施形態によれば、階段部１４が装置側面４２に沿うように形成されているため、ＮＭＲ用作業台１０の占める半径方向のスペースをより小さくすることができる。特にＮＭＲ分析装置の背が高いために階段部１４の段数が増加する場合には、階段部１４が鉛直斜め方向に真っ直ぐなもの（実施形態２，３）に比べて、かなりの省スペース化を計ることができる。
【００２６】
なお、上記３つの実施形態は、本考案に係るＮＭＲ用作業台の一例であって、その具体的構成は本考案の要旨を逸脱しない範囲で適宜変更可能である。例えば、実施形態１〜３において踏み台１２が有する円弧形状や、実施形態２，３において鉛直部材２６ａの湾曲部２６ａ’が有する円弧形状は、略円弧状を成すものであれば足り、略円弧状とは、例えば図５（ａ），（ｂ）に示すような多角形状をも含むものである。また、実施形態１〜３では、踏み台１２の内周側と外周側の両側に手すり２２ａ，２２ｂを設けたが、外周側の手すり２２ｂについては、安全上問題なければ省略してもよい。さらに、手すり２２ａ（２２ｂ）の構造については、実施形態１〜３のような、水平部材２４ａ（２４ｂ）、鉛直部材２６ａ（２６ｂ）を縦横に組んだ構造に限るものではなく、例えば外枠にメッシュ状の金網を張ったフェンスのような構造にしてもよい。また階段部１４については、実施形態１〜３では１箇所のみに設けたが、これを図示とは反対側の箇所にも設けて２箇所にしてもよいし、踏み台１２の幅方向の辺に設けるのではなく、外側の円弧（図２（ａ）の１３ｂ）に設けてもよい。最後に、支持部２８については、踏み台１２を支持できるものであれば図示のような柱状の部材に限るものではなく、また、階段部１４を複数設けた場合に、踏み台１２を階段部１４のみで支持できるのであれば、支持部２８は省略してもよい。
【図面の簡単な説明】
【００２７】
【図１】本発明の実施形態１に係るＮＭＲ用作業台の斜視図である。
【図２】（ａ）は前記ＮＭＲ用作業台の概略平面図、（ｂ）は概略側面図である。
【図３】（ａ）は実施形態２に係るＮＭＲ用作業台の概略平面図、（ｂ）は概略側面図である。
【図４】は実施形態３に係るＮＭＲ用作業台の概略平面図である。
【図５】（ａ）は変形実施例に係るＮＭＲ用作業台の概略平面図、（ｂ）は概略側面図である。
【符号の説明】
【００２８】
１０    ＮＭＲ用作業台
１２    踏み台
１４    階段部
２２ａ    手すり
２６ａ    鉛直部材
４０    ＮＭＲ分析装置
４２    装置側面
４４    装置上面
【図１】
0003110039.tif 000003
【図２】
0003110039.tif 000004
【図３】
0003110039.tif 000005
【図４】
0003110039.tif 000006
【図５】
0003110039.tif 000007